(57)【要約】【課題】  前板の表面から前後調整ネジおよび上下調整ネジを回動することによって前後・上下の調整を可能として、かつ簡易な構造でデザイン的にも優れた鎌錠の受け具を提供する。【解決手段】  上下一対の前後方向に延びる水平溝４３・・４３と、その下方に傾斜溝４４，４４が形成された左右の側板４２，４２を有するスライド部材４と、断面コ形で左右の側板５３，５３に突出させた上下一対の突起５４・・５４を前記スライド部材４の側板４２，４２に形成された上下一対の水平溝４３・・４３にそれぞれ摺動可能に嵌挿させた、前後調整ネジ７の回転により前後方向に移動可能であり鎌錠の受部５２を備える受け部材５と、ネジ孔６２が螺刻されて両側端に前記傾斜溝４４，４４に摺動可能に嵌合する突起６１，６１を有し上下調整ネジ８の回転により前記スライド部材４を上下に移動させる上下調整板部材６を有する。【選択図】図１
2016125299.tif 000002
【特許請求の範囲】
【請求項１】
前方へ開放された収容凹部を有する受箱と、前記受箱の前面を被覆する前板と、上方に前後方向へ延びる上下一対の前後方向に延びる水平溝が形成されるとともに下方に傾斜溝が形成された左右の側板を有する前記受箱の収容凹部内に上下方向に移動可能に配置されたスライド部材と、前記スライド部材内に配置されるとともに断面コ形で左右の側板に突出させた上下一対の突起を前記スライド部材の側板に形成された上下一対の水平溝にそれぞれ摺動可能に嵌挿させて背板に螺刻されたネジ孔に軸止させた前後調整ネジが螺挿されて前記前後調整ネジの回転により前後方向に移動可能に前記スライド部材内に配置される前記前板に形成された鎌錠の鎌金が出入りする開口部に前記背板の上部に形成した鎌錠の受部を露出させた受け部材と、ネジ孔が螺刻され且つ両側端に前記傾斜溝に摺動可能に嵌合させる突起が突設され前記ネジ孔に先端を前記受箱の背壁に回転可能に軸止させた上下調整ネジが螺挿されて前記上下調整ネジの回転により前記スライド部材を上下に移動させる上下調整板部材を有していることを特徴とする鎌錠の受け具。
【請求項２】
前記前板に形成された鎌金が出入りする開口部、前後調整ネジおよび上下調整ネジの
ネジ露出孔がそれぞれ独立して形成されていることを特徴とする請求項１記載の鎌錠の受け具。
【請求項３】
前記前後調整ネジおよび前記上下調整ネジの頭部が前記前板に形成されたネジ露出孔に面一に配置されていることを特徴とする請求項１または２記載の鎌錠の受け具。
【発明の詳細な説明】
【技術分野】
【０００１】
本発明は、引戸の閉鎖時に引戸に設けた鎌錠の鎌金が係合する柱や縦枠に埋設される鎌錠の受金具に関する。
【背景技術】
【０００２】
引戸に設けた鎌錠は、引戸が柱や枠体の縦枠に当接したとき、自動的に或いは操作レバーを回すことにより鎌金が回転して柱や縦枠に埋設した受金具に掛止することにより施錠され、操作レバーを逆回転することにより解錠されるようになっている。
【０００３】
この鎌錠にあっては、引戸の建て付け時における柱との上下方向の位置ずれや、径年変化等による引戸の歪みで発生する引戸と柱の隙間によって、鎌金の掛かりの悪さや前後方向のガタツキ等の不具合が生じることがある。
【０００４】
そのため、前記不具合を鎌金が係合する受金具で調整できるようにした調整機能付き受金具が多数提案されており、例えば特開昭５５−１３６３７７号公報には側壁に横方向のガイド孔が設けられた受箱に、側壁に傾斜孔を設けた上下動枠部材を収容するとともに、この上下動枠部材に側壁に縦方向のガイド孔を設けた受金枠部材を収容し、これらをガイドピンで同軸に組み付けて受金枠部材を上下へ滑動自在とし、且つ上下動枠部材の上下移動により受金枠部材を前後へ移動させて前後の調整ができる構成としたものが提示されている。
【０００５】
しかしながら、前記従来の受金装置にあっては、鎌金が受金枠部材の係合孔の端縁部を押し上げ上方へ移動させて施錠し、解錠とともに受金枠部材が元の位置に落下する構成であるので、上下滑動自在に取り付けられた受金枠部材はがたついており、引戸を閉めたとき鎌金が当たる耳障りな衝撃音が発生する。
【０００６】
また、受金枠部材を前後方向に調整するには、ビスを弛めて上下動枠部材を上下へ移動させることにより金枠部材を調整位置に進退させ、再びビスを締め付けて調整した位置を固定するものである。従って、ビスを弛めて受金枠部材を進退させて位置決めをするために、手で受金枠部材を仮固定しておいてビスの締め付けをしなければならず、操作性が悪いうえに微調整が難しかった。
【０００７】
更に、前方に調整すると受金枠部材が受金装置のフロントから外側に突出する構成であるので、引戸が開かれたとき、柱や縦枠から受金枠部材が突出して見えて外見が悪いうえに邪魔になる欠点を有している。
【０００８】
そこで、上下及び前後の調整ができるとともに微調整がし易い操作性に優れた受金具が
例えば特開２００１−８２００５号公報に提示されている。
【０００９】
この公報に提示されている受金具は、前板の表面からドライバ等の工具を使って前後調整ネジを回動することにより前後の調整がなされるとともに上下調整ネジを回動することによって上下の調整がなされるものであり、きわめて便利である。
【００１０】
しかしながら、この従来の受金具は部品点数が多く組み立て工程も多いなどの問題があり、また、使用時に引戸の木口に露出する前板に形成された鎌金が出入りする開口部、前後調整ネジおよび上下調整ネジのネジ挿入孔が連続して大きな露出口として羽子板形に形成されているとともに鎌金の受金板部が開口部に大きく露出していることからデザイン的にスッキリ感がないという問題がある。
【先行技術文献】
【特許文献】
【００１１】
【特許文献１】特開２００１−８２００５号公報
【発明の概要】
【発明が解決しようとする課題】
【００１２】
本発明は、前記従来の鎌錠の受け具が有する問題点を解決することが課題であって、前板の表面からドライバ等の工具を使って前後調整ネジを回動することにより前後の調整がなされるとともに上下調整ネジを回動することによって上下の調整を可能にすることはいうまでもなく、部品点数も多くなく、製造も容易で、更に、デザイン的にも優れた鎌錠の受け具を提供することを課題とする。
【課題を解決するための手段】
【００１３】
前記課題を解決するためになされた本発明は、前方へ開放された収容凹部を有する受箱と、前記受箱の前面を被覆する前板と、上方に前後方向へ延びる上下一対の前後方向に延びる水平溝が形成されるとともに下方に傾斜溝が形成された左右の側板を有する前記受箱の収容凹部内に上下方向に移動可能に配置されたスライド部材と、前記スライド部材内に配置されるとともに断面コ形で左右の側板に突出させた上下一対の突起を前記スライド部材の側板に形成された上下一対の水平溝にそれぞれ摺動可能に嵌挿させて背板に螺刻されたネジ孔に軸止させた前後調整ネジが螺挿されて前記前後調整ネジの回転により前後方向に移動可能に前記スライド部材内に配置される前記前板に形成された鎌錠の鎌金が出入りする開口部に前記背板の上部に形成した鎌錠の受部を露出させた受け部材と、ネジ孔が螺刻され且つ両側端に前記傾斜溝に摺動可能に嵌合させる突起が突設され前記ネジ孔に先端を前記受箱の背壁に回転可能に軸止させた上下調整ネジが螺挿されて前記上記調整ネジの回転により前記スライド部材を上下に移動させる上下調整板部材を有していることを特徴とする。
【００１４】
また、本発明において、前記前板に形成された鎌金が出入りする開口部、前後調整ネジおよび上下調整ネジのネジ挿入孔がそれぞれ独立して形成させ、更には前記前後調整ネジおよび前記上下調整ネジの頭部が前記前板に形成されたネジ露出孔に面一に配置させることによりデザイン的にも優れたものを提供することができる。
【発明の効果】
【００１５】
本発明によれば、前板の表面からドライバ等の工具を使って前後調整ネジを回動することにより前後の調整がなされるとともに上下調整ネジを回動することによって上下の調整を可能にすることはいうまでもなく、従来品に比べて部品点数も多くなく、製造も容易で、更に、デザイン的にも優れた鎌錠の受け具を提供することができる。
【図面の簡単な説明】
【００１６】
【図１】（ａ）は本発明の好ましい実施の形態を示す分解斜視図、（ｂ）は（ａ）に示したスライド部材の背面側から見た斜視図。
【図２】図１に示した実施の形態の使用状態を示す斜視図。
【図３】図２の縦断面図。
【発明を実施するための最良の形態】
【００１７】
次に、本発明の好ましい実施の形態について図面を参照して詳細に説明する。
【００１８】
図１乃至図３は本発明の好ましい実施の形態を示すものであり、本発明である鎌錠の受け具１は、主として、前方へ開放された収容凹部２１を有する受箱２と、受箱２の前面を被覆する前板３と、前記受箱２の収容凹部２１内に上下方向に移動可能に配置されたスライド部材４と、前記スライド部材を前後方向へ移動させるとともに鎌錠の鎌金１１を掛止する役目を有する受け部材５と、前記スライド部材４を上下方向へ移動させる上下調整板部材６と、それぞれ先端を前記受箱２の背壁２２に回転可能に軸止させるとともに頭部を前記前板３に形成したネジ露出孔３２，３３に露出させた前記受け部材５に螺挿された前後調整ネジ７と、前記上下調整板部材６に螺挿された上下調整ネジ８から構成される。
【００１９】
更に、詳細に説明すると、受箱２は、例えば引戸の枠体を形成する柱９に形成された彫込溝９１内に嵌め込まれる収納凹部２１を有するとともに前記収容凹部２１の上下端に前板３の上下端に形成した取付孔３４，３４に連通するネジ挿通孔２３，２３が形成されている。そして、本発明である鎌錠の受け具１の設置に際しては前記掘込溝９１内部へ前記収納凹部２１を含めた前記鎌錠の受け具１を配置した後にそれぞれ連通している前記取付孔３４，３４および前記ネジ挿通孔２３，２３に固着ネジ１０，１０を挿通し、前記柱９へ前記固着ネジ１０，１０を螺着して設置する。
【００２０】
また、前記受箱２の収容凹部２１に上下方向に向けて移動可能に配置されたスライド部材４は、全体が背板４１とその両側に一対の側板４２，４２を連設した前記受箱２の収容凹部２１に収容可能で且つ上下方向に移動可能に配置される横幅を有する平面コ形であり、前記両側板４２，４２には前方を開口した一対の水平溝４３・・４３が上下方向に所定の間隔を有して平行に且つ互いに対向して形成されているとともに、前記側板４２，４２には前記水平溝４３・・４３の下方に前方を開口して後方上部へ向けて上昇する傾斜溝４４，４４が形成されている。
【００２１】
更に、前記スライド部材４は、背板４１に円形の前記上下調整ネジ８を挿通する透孔４５が形成されているとともに、その下方に上下方向に延びる長孔により形成される前記前後調整ネジ７を挿通する透孔４６が形成されている。
【００２２】
更にまた、前記受け部材５は、前記スライド部材４の側板４２，４２に内接する幅を有する全体が平面コ形に形成され、背板５１の上端部が前記受箱２の前面に装着した前板３に形成した鎌錠の鎌金１１が出入りする開口部３１に露出して鎌錠の鎌金１１を掛止する受部５２を形成するとともに互いに対向する側板５３，５３の外面の所定位置に前記スライド部材４の水平溝４３・・４３に摺動可能に嵌挿される突起５４・・５４が上下方向に所定の間隔を有してそれぞれ突設されており、これらの突起５４・・５４を水平溝４３・・４３に嵌挿することにより、受け部材５がスライド部材４に前後方向に移動可能に支持される。また、受け部材５の背板５１には所定位置にネジ孔５５が刻設されており、このネジ孔５５には先端を受箱２の背板２２にかしめにより回動可能に軸着させるとともに前記スライド部材４の背板４１に形成した透孔４５を貫通させた所定長さのネジ部７２を有する前後調整ネジ７が螺挿されており、前記前後調整ネジ７を回転させることにより前記スライド部材４に支持された受け部材５が前記前後調整ネジ７の回転に応じた量だけ前後に移動する。
【００２３】
また、前記スライド部材４の側板４２，４２に形成された傾斜溝４４，４４には前記上下調整板部材６の両端に突出された突起６１，６１が摺動可能に嵌挿されているとともに上下調整板部材６の中央に螺刻されたネジ孔６２には先端を受箱２の背板２２にかしめにより回動可能に軸着させるとともに前記スライド部材４の背板４１に形成した上下方向に延びる長孔である透孔４６を貫通させた所定長さのネジ部８２を有する上下調整ネジ８が螺挿されており、前記上下調整ネジ８を回転させることで前記上下調整板部材６が前後に移動する事により前記上下調整ネジ８の回転に応じた量だけ前記スライド部材４を上下方向に移動させる事ができる。
【００２４】
前記前後調整ネジ７を回転させることにより前記受け部材５が前記スライド部材４に対して前後方向に移動するので前記上下調整ネジ８と前記前後調整ネジ７とを調整して前記スライド部材４に支持されている前記前板３に形成した鎌金１１が出入りする開口部３１に露出する受部５２の位置を調整する。
【００２５】
以上のように本実施の形態では従来品に比べて少ない部品点数で従来品と同様に前板３に露出させた前後調整ネジ７または上下調整ネジ８を回転させるだけの簡単な操作で鎌金１１の受部５２を前後または上下に調整可能である。
【００２６】
また、本実施の形態では、図示するように使用時に露出する前板３に形成される鎌金１１が出入りする開口部３１、前後調整ネジ７のネジ露出孔３２、上下調整ネジ８のネジ露出孔３３をそれぞれ独立して設置することにより従来品のように前記開口部３１、前後調整ネジ７のネジ露出孔３２、上下調整ネジ８のネジ露出孔３３を連続して形成した大きな面積で異形の窓孔（図示せず）が形成されることがなく前板３全体の平面的な存在感が表現され、加えて前記前後調整ネジ７および上下調整ネジ８の頭部７１，８１が前板３に形成されたネジ露出孔３２，３３に面一に配置されていることにより更にスッキリとした美観を観察者に与えることができるものである。
【符号の説明】
【００２７】
１  受け具、２  受箱、３  前板、４  スライド部材、５  受け部材、６  上下調整板部材、７  前後調整ネジ、８  上下調整ネジ、９  柱、１０  固着ネジ、１１  鎌金、２１  収容凹部、２２  背壁、２３  ネジ挿通孔、３１  開口部、３２，３３  ネジ露出孔、３４  取付孔、４１  背板、４２  側板、４３  水平溝、４４  傾斜溝、４５  透孔、４６  透孔、５１  背板、５２  受部、５３  側板、５４  突起、５５  ネジ孔、６１  突起、６２  ネジ孔、７１  頭部、７２  ネジ部、８１  頭部、８２  ネジ部、９１  掘込溝
【図１】
2016125299.tif 000003
【図２】
2016125299.tif 000004
【図３】
2016125299.tif 000005